(57)【特許請求の範囲】
【請求項１】
周側壁で区画してその内部に収納部が形成された容器本体と、
該容器本体の後端部に蝶番を介して開閉自在に設けられた外蓋と、
該外蓋で容器本体を閉止するためにこれら両者の前端部に設けられたフック手段と、
上記容器本体の上記収納部に上下動自在に嵌合収納されてパウダー状化粧料が充填されたパウダー皿と、
外周面が該パウダー皿の内周面に嵌合摺動するフレームに網が一体に取り付けられて形成され、該パウダー皿に充填されたパウダー状化粧料の表面に載置される網皿と、
該パウダー皿の底壁下面に当接して該容器本体の収納部に設けられ、該パウダー皿を上方に付勢する弾性部材と、
該網皿のフレームに周縁部が当接する蓋体部を有するとともに上面にパフの収納凹所が形成された内蓋とを備え、
該内蓋は該容器本体に対して任意の角度で保持可能なフリーストップヒンジを介して開閉自在に取り付けられており、該内蓋の蓋体部を該網皿のフレームに当接させて押し込むと、該パウダー皿が該弾性部材の付勢力に抗して下方に押し下げられて、該フレームと蓋体部とが押圧密着してパウダー皿を気密に閉止することを特徴とする網付きパウダーコンパクト容器。
【発明の詳細な説明】
【０００１】
【発明の属する技術分野】
本発明は、パウダー状化粧料が充填されたパウダー皿と、このパウダー皿を気密に閉止すると共にパフを収納する内蓋とが上下に重ねられた多段式の網付きパウダーコンパクト容器に係わり、特にパウダー皿をその化粧料の減少に拘わらず気密状態に閉止し得て、パウダー皿からコンパクト容器内にパウダー状化粧料が漏れて汚すことを防止できるようにした網付きパウダーコンパクト容器に関する。
【０００２】
【従来の技術】
従来より、パウダー皿に充填したパウダー状の化粧料の表面に網皿を常に平坦に接触させることにより、パフへのパウダー状化粧料の付着量を一定となし、かつ化粧料を最後まで均一に使用可能となした網付きパウダーコンパクト容器として、例えば特開平９−２３４１１１号公報に提案されたものが存在する。
【０００３】
この網付きパウダーコンパクト容器は、容器本体と内面にミラーを有する外蓋との後端部同士が蝶番で開閉可能に枢着され、前端側にはこれらを閉止状態に保つフック手段が設けられている。容器本体内は、略中央で仕切壁によって左右２つに仕切られ、一方側にはパフ等の化粧具収納部が設けられ、他方側にはパウダー状の化粧料が充填されたパウダー皿が嵌着された化粧料収納部が設けられている。また、このパウダー皿には、その内周面に摺動可能に嵌合するフレームに網を一体に取り付けてなる網皿が、パウダー状化粧料の表面に接触して設けられており、外蓋の内面には、当該外蓋の閉止状態において上記パウダー皿に対向し、網皿を押圧して当該網皿を化粧料に平坦に押し付ける押圧部材を支持した内蓋が設けられている。
【０００４】
【発明が解決しようとする課題】
しかしながら、かかる従来の網付きパウダーコンパクト容器の構成にあっては、網皿を化粧料に平坦に押し付けるための押圧部材を支持する内蓋を、外蓋の内面に取り付けるようにしているので、パフの収納部を内蓋と外蓋との間に設けることができず、必然的にパウダー化粧料の収容部とパフの収納部とは前後あるいは左右に振り分けて平面的に並設しなければならなくなる。このため、容器自体の外形寸法がかなり大型化してしまい、パウダー化粧料の収容部とパフの収納部とを上下に重ねて配置して外形寸法の小型化を図った多段式のコンパクト容器には適用できないという課題があった。
【０００５】
本発明はかかる従来の課題に鑑みてなされたものであり、その目的は、パウダー皿に充填したパウダー状化粧料の表面に網皿を常に平坦に接触させ得るとともに、化粧料の減少に拘わらずパウダー皿を常に気密状態に閉止し得て、パウダー皿からコンパクト容器内にパウダー状化粧料が漏れて汚すことを防止し得、しかもパウダー化粧料の収容部とパフの収納部とを上下に重ねて配置して小型化が図り得る多段式の網付きパウダーコンパクト容器を提供することにある。
【０００６】
【課題を解決するための手段】
かかる目的を達成するために本発明の網付きパウダーコンパクト容器は、周側壁で区画してその内部に収納部が形成された容器本体と、該容器本体の後端部に蝶番を介して開閉自在に設けられた外蓋と、該外蓋で容器本体を閉止するためにこれら両者の前端部に設けられたフック手段と、上記容器本体の上記収納部に上下動自在に嵌合収納されてパウダー状化粧料が充填されたパウダー皿と、外周面が該パウダー皿の内周面に嵌合摺動するフレームに網が一体に取り付けられて形成され、該パウダー皿に充填されたパウダー状化粧料の表面に載置される網皿と、該パウダー皿の底壁下面に当接して該容器本体の収納部に設けられ、該パウダー皿を上方に付勢する弾性部材と、該網皿のフレームに周縁部が当接する蓋体部を有するとともに上面にパフの収納凹所が形成された内蓋とを備え、該内蓋は該容器本体に対して任意の角度で保持可能なフリーストップヒンジを介して開閉自在に取り付けられており、該内蓋の蓋体部を該網皿のフレームに当接させて押し込むと、該パウダー皿が該弾性部材の付勢力に抗して下方に押し下げられて、該フレームと蓋体部とが押圧密着してパウダー皿を気密に閉止することを特徴とする。
【０００７】
【発明の実施の形態】
以下、本発明の実施形態を添付図面を参照して詳細に説明する。
図１から図４に示すように、本実施形態の網付きパウダーコンパクト容器１は、容器本体１０と外蓋３０と内蓋５０とパウダー皿７０及び弾性部材８０とを主要部品として構成されている。
【０００８】
容器本体１０は、水平断面形状を略円形状とする周側壁部１０ａと底部１０ｂとからなり、有底筒体状をなして内部に収納部１２が形成されている。また、容器本体１０の前端側中央には、前方及び上方に向かって開放された凹部１４が設けられると共に、凹部１４の前側壁面には、前方に向かって係合突起１６が設けられ、後端側中央には後方及び上下方向に開放された凹部１８が設けられている。
【０００９】
上記収納部１２内には、その周側壁部１０ａの内面に嵌合収納されて、パウダー皿７０が設けられている。このパウダー皿７０は、上記容器本体１０の周側壁部１０ａ内面に摺接する円環状の周壁７０ａと底壁７０ｂとからなり、当該収納部１２の深さの略半分の高さを有して周側壁部１０ａの内面に沿って上下動自在に設けられている。そして、このパウダー皿７０の内部に形成される化粧料収容部にはパウダー状化粧料Ｐが充填されている。
【００１０】
また、このパウダー皿７０には、その内周面に摺動自在に嵌合されて上記パウダー状化粧料Ｐの表面に接触して載置された網皿９０が設けられている。この網皿９０は円環状のフレーム９２と、このフレーム９２に一体に取り付けられて張設された網体９４とからなり、フレーム９２の外周面がパウダー皿７０の内周面に摺接して、上下に移動可能となっている。
【００１１】
パウダー皿７０下方の収納部１２内には、容器本体１０の底部１０ｂ上面とパウダー皿７０の底壁７０ｂ下面とに挟まれて、パウダー皿７０を底部１０ｂから浮き上がらせて上方に向けて付勢する弾性部材として円錐コイルバネ８０が設けられている。また、パウダー皿７０の底壁７０ｂ下面には上記円錐コイルバネ８０の大径側端部の外径よりも大きな円環状の脚部７０ｃが突出形成されている。
【００１２】
また、パウダー皿７０の周壁７０ａ外周面には係合突起７２が設けられている一方、容器本体１０の周側壁部１０ａ内面には上記係合突起７２が係合される係合溝２０が上下に延びて形成されていて、この係合溝２０の上端縁に係合突起７２が当接することで、上方に向けて付勢されているパウダー皿７０の抜け落ちを防止するようにしている。
【００１３】
外蓋３０は、上記容器本体１０と上下に重なり略同型状の側壁部３０ａと、内面にミラー４２が取り付けられている天部３０ｂと、から構成されている。外蓋３０の後端部には、容器本体１０の凹部１８に入り込んで蝶番３を形成する突部３２ａ，３２ｂが左右に分離されて一対で設けられ、前端側には容記本体１０の凹部１４に入り込んで係合突起１６と共にフック手段５を構成する係合部３４が設けられている。この係合部３４の後方側の面には、係合突起１６と係脱自在に係合片３６が設けられている。
【００１４】
内蓋５０は、容器本体１０の周側壁部１０ａの上面内周部に沿って当接するフランジ部５２と、パウダー皿７０内に入り込んでパウダー化粧料Ｐの表面に載置された網皿９０に当接してこれを押圧する蓋体部５４と、フランジ５２の後端部から後方に延びて外蓋３０の一対の突部３２ａ，３２ｂ間に入り込むとともに容器本体１０の凹部１８に入り込んでヒンジ５７を形成する突部５６とからなる。この突部５６の後端上面５６ａは後方がなだらかに下がる傾斜面あるいは湾曲面に形成されていて、内蓋５０に対して外蓋３０を相対回転させるときの干渉が防止されるようになっている。
【００１５】
上記蓋体部５４はパウダー皿７０の内径よりも若干小径な外径寸法を有した円形状をなして、フランジ部５２の下面から下方に突出し、当該蓋体部５４の下面にはスポンジや軟質ゴムでなるパッキン材５５が全面に貼設されていて、そのパッキン材５５を含めた突出量は容器本体１０の収納部１２深さの略半分となっている。また、蓋体部５４の上面にはパフ１００を収容するための収納凹所５８が形成されており、フランジ部５２の前端部には、これより前方の斜め上方に向けて延びる指掛け片５９０が突出形成されている。
【００１６】
そして、これらの部品は、以下のように組み合わされて網皿付きパウダーコンパクト容器１を形成している。即ち、容器本体１０の後端の凹部１８には、外蓋３０後端に形成された一対の突部３２（３２ａ，３２ｂ）が入り込み、更にこの一対の突部３２ａ，３２ｂ間には、内蓋５０後端に形成された突部５６が入り込んで、これらの突部３２ａ，３２ｂ，５６を貫通して、容器本体１０と外蓋３０及び内蓋５０とに跨って蝶番ピン６０が挿入されて蝶番３及びヒンジ５７が形成され、容器本体１０と内蓋５０と外蓋３０とが相互に回動自在に蝶着されている。ここで、蝶番ピン６０は容器本体１０固着され、この蝶番ピン６０に対して外蓋３０と内蓋５０が回動するようになっている。また、外蓋３０は蝶番ピン６０に対して緩く嵌合される一方、内蓋５０は蝶番ピン６０に対してきつく嵌合されていて、内蓋５０と容器本体１０とを蝶着するヒンジ５７は、容器本体に１０に対して内蓋５０を任意の角度にて保持可能なフリーストップヒンジとされている。
【００１７】
以上のように構成された網付きパウダーコンパクト容器１にあっては、図２に示すように、容器本体１０に対して外蓋３０と内蓋５０とが共に開放状態にあるときには、容器本体１０の収納部１２内に設けられたパウダー皿７０はその下部の円錐コイルバネ８０によって付勢されて収納部１２の上方に移動して、パウダー皿７０の係合突起７２が容器本体１０の係合溝２０の上端縁に当接した状態に保持されていて、パウダー皿７０の周壁７０ａ上面と容器本体１０の周側壁部１０ａ上面とが面一になっている。
【００１８】
この状態から内蓋５０を閉じていくと、先ず、円形状の蓋体部５２の下面に貼設されたパッキン材５５がパウダー皿７０の内側に嵌合摺接している網皿９０のフレーム９２に均一に当接して、当該網皿９０をパウダー状化粧料Ｐの表面に押し付けると共に、パウダー状化粧料Ｐを介してその押付力がパウダー皿７０に伝わり、パウダー皿７０がその下方の円錐コイルバネ８０の付勢力に抗してこれを押し縮めながら収納部１２内を下降していく。そして、蓋体部５４が容器本体１０の収納部１２内にその深さの略半分程まで入り込むと、フランジ部５２が容器本体１０の周側壁部１０ａ上面に当接して閉止状態となり、ヒンジ５７のフリーストップ機能により当該閉止状態に保持される。このとき、パウダー皿７０は円錐コイルバネ８０の付勢力により上方に付勢されており、これにより網皿９０のフレーム９２と蓋体部５４のパッキン材５５とが押圧密着してパウダー皿７０が内蓋５０により気密に閉止される（図３及び図４参照）。
【００１９】
ここで、図３はパウダー皿７０に充填されたパウダー状化粧料Ｐがまだいっぱいに残っている状態であり、図４はパウダー化粧料がＰがかなり減少して残り少なくなった状態を示しているが、パウダー皿７０は円錐コイルバネ８０の付勢力によって常に上方に付勢されているから、パウダー皿７０に充填されたパウダー状化粧料Ｐの多少に関わらず、その表面に載置されている網皿９０のフレーム９２は閉止された状態の内蓋５０のパッキン材５５に対して絶えず均一に押圧密着されて、網体９４がパウダー化粧料Ｐの表面に圧接し、当該表面が平坦に維持される。
【００２０】
また、内蓋５０の上面に形成した収納凹所５８にパフ１００を載置して外蓋３０を閉じると、フック手段５をなす容器本体１０の凹部１４の係合突起１６と外蓋３０の係合片３６とが係合して、容器本体１０と外蓋３０とが閉止状態に保持され、パフ１００を網付きパウダー容器１内に収納し得る。
【００２１】
従って、この網付きパウダーコンパクト容器１によれば、パウダー皿７０に充填したパウダー状化粧料Ｐの表面に網皿９０を常に平坦に接触させ得るとともに、パウダー状化粧料Ｐの減少に拘わらずパウダー皿７０を常に気密状態に閉止し得て、パウダー皿７０からコンパクト容器１内にパウダー状化粧料Ｐが漏れて汚すことを防止しでき、かつパウダー化粧料Ｐを収納したパウダー皿７０とパフ１００の収納部５８が形成された内蓋５０とを上下に重ねて配置して容器外形寸法の小型化を図ることができる。
【００２２】
【発明の効果】
以上説明したように本発明の網付きパウダーコンパクト容器にあっては、パウダー皿に充填したパウダー状化粧料の表面に網皿を常に平坦に接触させ得るとともに、化粧料の減少に拘わらずパウダー皿を常に気密状態に閉止し得て、パウダー皿からコンパクト容器内にパウダー状化粧料が漏れて汚すことを防止しでき、かつパウダー化粧料の収納部とパフの収納部とを上下に重ねて配置して容器外形寸法の小型化を図ることができる。
【図面の簡単な説明】
【図１】本発明に係る網付きパウダーコンパクト容器の一実施形態を示す分解斜視図である。
【図２】図１の網付きパウダーコンパクト容器の開放時の側断面図である。
【図３】図１の網付きパウダーコンパクト容器に充填したパウダー状化粧料まだ充満している状態の閉止時の側断面図である。
【図４】図１の網付きパウダーコンパクト容器に充填したパウダー状化粧料が減少している状態の閉止時の側断面図である。
【符号の説明】
１    気密化粧料容器              ３    蝶番
５    フック手段                １０    容器本体
１０ａ  周側壁部                  １０ｂ  底部
１２    収納部                    １４    凹部
２０    係合溝                    ３０    外蓋
３０ａ  側壁部                    ３０ｂ  天部
３２（３２ａ，３２ｂ）  突部
５０    内蓋                      ５２    フランジ
５４    蓋体部                    ５５    パッキン材
５６    突部                      ５７    ヒンジ
５８    収納凹所                  ６０    蝶番ピン
７０    パウダー皿                ７０ａ  周壁
７０ｂ  底壁                      ７２    係合突起
８０    円錐コイルバネ（弾発部材）
９０    網皿                      ９２    フレーム
９４    網                        １００  パフ
Ｐ      パウダー化粧料
【図１】
0004707252.tif 000002
【図２】
0004707252.tif 000003
【図３】
0004707252.tif 000004
【図４】
0004707252.tif 000005